(57)【要約】【課題】従来のロータリ耕耘装置のリヤカバーは、上下揺動を規制したり許容する状態に切り替えることができないものであるから、土壌の硬軟の度合いに対応しながら均平作業をすることはできず、硬い土壌に適すれば、逆に軟らかい土壌には不向きとなる課題があった。【解決手段】主カバー１ａとリヤカバー１ｂをゴム板８を介して前後上下に揺動自在に連結すると共に、前記主カバー１ａに対するリヤカバー１ｂの前後方向の移動を規制するべく前記主カバー１ａとリヤカバー１ｂの両側部間を板ばね３により連結する。またこのロータリ耕耘装置１には、前記左右の板ばね３の支持部２３に係止させて、リヤカバー１ｂに取り付ける揺動規制具４を備える構成とする。【選択図】図１
2005185156.tif 000002
【特許請求の範囲】
【請求項１】
主カバー（１ａ）とリヤカバー（１ｂ）をゴム板（８）を介して揺動自在に連結すると共に、前記主カバー（１ａ）に対するリヤカバー(１ｂ)の前後方向の移動を規制するべく前記主カバー（１ａ）とリヤカバー（１ｂ）の両側部間を板ばね状の連結板（３）により連結するロータリ耕耘装置において、
前記ロータリ耕耘装置には、前記連結板（３）の支持部に取り付けられ且つこの連結板（３）の上下の振れを規制してリヤバー(１ｂ)の上下動を規制する揺動規制具（４）を備えたことを特徴とするロータリー耕耘装置のリヤカバー支持装置。
【請求項２】
前記揺動規制具（４）は、主カバー（１ａ）若しくはリヤカバー（１ｂ）側を選択して枢着支持させる支持部（１４）と、前記連結板（３）の連結部（２３）に対して係止させる係止部（１５）とを備え、前記支持部（１４）をリヤカバー（１ｂ）側へ支持させることで前記連結板（３）の上下の振れを規制し、前記支持部（１４）を主カバー（１ａ）側へ支持させることで同連結板（３）の上下の振れを許容する構成としたことを特徴とする請求項１に記載のロータリー耕耘装置のリヤカバー支持装置。
【発明の詳細な説明】
【技術分野】
【０００１】
この発明は、農業用トラクタに装着するロータリー耕耘装置のリヤカバー支持装置の構成に関する。
【背景技術】
【０００２】
従来からこれ種のロータリーカバー、特にリヤカバーは、耕耘爪で耕耘した後の土壌面を如何にして均平にし、鎮圧性能を上げるかが課題となって、各種の発明が提案されている。
【０００３】
例えば、特開平１０−２１０８０２号公報に示された技術は、耕耘爪の上方を覆う主カバーと後方を覆うリヤカバーとの間を、弾性板体（ゴム板）によって連結し、その弾性板体には数本のリブ状肉厚部を設けて構成し、耕耘作業中に土壌面に対して追従をよくして土壌面の均平を適確に行いながら、数本のリブ状肉厚部によって弾性板体の硬度を高めることにより動き過ぎを規制する技術が示されている。
【特許文献１】特開平10-210802号公報
【発明の開示】
【発明が解決しようとする課題】
【０００４】
前記のような従来のリヤカバーは、耕耘直後の土壌面に対して弾性的に追従しながら均平作用を行い、その効果を上げるためにリブ状肉厚部を設けてはいるが、土壌面に対して、常に同一の張圧力による上下動しかできない構成であるので、例えば圃場内の畝を崩しながら均平作業をする場合等に、リヤカバーの上下揺動を規制して固定状態にしたり、レンコン畑のような泥土地で張圧力を段階的に規制して自在に調節することができない構成になっている。
【０００５】
このように、前記従来の構成は、上下揺動を規制（固定状態）したり、揺動を許容することができない構成であるから、土壌表面の硬軟の度合いに適確に対応しながら耕耘後の均平作業をすることは不可能で、いずれか一方、すなわち、硬い土壌に適すれば、逆に軟らかい土壌には不向き、又はその逆の状態になる課題があった。
【０００６】
また前記リヤカバーの上下動を規制、規制解除する構成は、操作が簡単で安価な構成が望ましい。
【課題を解決するための手段】
【０００７】
この発明は、上述した課題を解決するために、つぎの如き技術手段を講ずるものである。
【０００８】
まず、請求項１の発明は、主カバー（１ａ）とリヤカバー（１ｂ）をゴム板（８）を介して揺動自在に連結すると共に、前記主カバー（１ａ）に対するリヤカバー(１ｂ)の前後方向の移動を規制するべく前記主カバー（１ａ）とリヤカバー（１ｂ）の両側部間を板ばね状の連結板（３）により連結するロータリ耕耘装置において、
前記ロータリ耕耘装置には、前記連結板（３）の支持部に取り付けられ且つこの連結板（３）の上下の振れを規制してリヤバー(１ｂ)の上下動を規制する揺動規制具（４）を備えたことを特徴とするロータリー耕耘装置のリヤカバー支持装置とした。
【０００９】
前記ロータリー耕耘装置では、耕耘作業にあたり圃場の土壌の硬軟の度合いに応じて連結板（３）の上下動を揺動規制具（４）によって規制し、均平効果を高めながら耕耘直後の均平作業ができる。
【００１０】
また請求項２の発明は、前記揺動規制具（４）は、主カバー（１ａ）若しくはリヤカバー（１ｂ）側を選択して枢着支持させる支持部（１４）と、前記連結板（３）の連結部（２３）に対して係止させる係止部（１５）とを備え、前記支持部（１４）をリヤカバー（１ｂ）側へ支持させることで前記連結板（３）の上下の振れを規制し、前記支持部（１４）を主カバー（１ａ）側へ支持させることで同連結板（３）の上下の振れを許容する構成としたことを特徴とする請求項１に記載のロータリー耕耘装置のリヤカバー支持装置とした。
【００１１】
前記ロータリ耕耘装置では、揺動規制具（４）の付け替えによって、リヤカバー（１ｂ）の土壌表面への張圧力を規制、許容しながら作業を行う。
【発明の効果】
【００１２】
これにより、まず請求項１の発明は、耕耘作業にあたりその圃場の土壌条件（硬軟度）或いは作業条件に応じて、揺動規制具（４）によりリヤカバー（１ｂ）を上下揺動可能としたり、揺動を規制することができるので、耕耘装置の汎用性が高まる。
【００１３】
また請求項２の発明は、この揺動規制具（４）をリヤカバー（１ｂ）の上下揺動可能状態、或いは揺動規制状態に関わらず、ロータリ耕耘装置に対し一方を係止し、他端側を取り付た状態とするので、切替操作が簡単で、夫れ夫れ別個所に取付部材を構成することと比較して、構成が簡素化され、またリヤカバー（１ｂ）の揺動を許容している時、即ち非使用時も同部品を損失することが無い。
【発明を実施するための最良の形態】
【００１４】
この発明に係るリヤカバー１ｂは、板ばね状の連結板３によって下方に張圧されて土壌表面を均平に均す働きをするものであるが、その張圧力を圃場の土壌条件や作業条件に応じて規制し均平効果を高めようとするものである。
【００１５】
以下、図面に基づいてこの発明を具体的に説明する。
【００１６】
ロータリー耕耘装置２は、図６に示すように、伝動チェーンケース５に支架された耕耘軸６に複数の爪ホルダ２６が配置して設けられ、これに耕耘爪７…を取り付ける構成としている。また耕耘カバー１は、前記耕耘爪７…の上方を覆う主カバー１ａの後部縁に、下側の弾性板（以下、ゴム板８）を介してリヤカバー１ｂが上下揺動自由に連結する構成となっており、このリヤカバー１ｂは、前記耕耘爪７…の後方を覆いながら、この下端部を土壌面に沿って摺動する構成としている。
【００１７】
具体的に述べると、この場合、リヤカバー１ｂは、図３及び図７に示すように、主カバー１ａの左右中央部分に設けられている取付金具９に、主支持杆１０の基部にあるボールジョイント１１を介して連結し、その主支持杆１１の先端側を左右に分岐して支持ロッド１２，１２として下方に延長し、主補強フレーム１３に固着する構成としている。また前記リヤカバー１ｂは、鉄板製の薄板で形成され、主カバー１ａと同等の横幅があり、前記ロータリー耕耘装置２の全幅を覆って吊り下げ支持する構成としている。
【００１８】
そして、この発明の揺動規制具となる揺動規制板４は、ロータリ耕耘装置２の主カバー１ａとリヤカバー１ｂの左右両側部に設けられ、図１乃至図５に示すように、鉄板を素材として断面コ字型で円弧状に形成して、一方の端部にこの発明の支持部となる左右方向のピン孔１４，１４を設け、他方の端部に係止部となる凹状の受部１５を形成し、図４及び図５の状態に付け替えができる構成としている。
【００１９】
詳細に説明すると、前記左右の揺動規制板４を、図４に示すように、前記連結板３の上側面に沿わせた状態で、前記一端側の受部１５を上側にして連結板４の上側取付軸２３に係止し、他端側のピン孔１４，１４を下側にしてリヤカバー１ｂに固設したブラケット１７の止め孔１８と共にロックピン１６を差し込んで固定する。これにより、前記主カバー１ａと前記リヤカバー１ｂは、連結板８の上部で前記ボールジョイント１１と、同ジョイント１１を挟んで左右二個所の受部１５，１５の三点で支持され、連結板８の下部では左右二個所の取付ピン１６，１６と主補強フレーム１３，１３で連結されるので、リヤカバー１ｂは、上下揺動規制状態となる構成となっている。
【００２０】
一方前記左右の揺動規制板４を、図５に示すように、前記一端側の受部１５を連結板３の上側取付軸２３の左右両側部に係止し、他端側のピン孔１４，１４にロックピン１６を差し込んで待機位置に取り付けると、従来の通り前記リヤカバー１ｂを上下揺動を許容した状態（規制解除）の状態となる構成となっている。
【００２１】
以上のように構成したロータリ耕耘装置２のリヤカバー支持装置では、土壌の硬軟度或いは作業条件に対応させて、例えばレンコン畑のような軟弱な土壌や、畝などを崩しながら均平作業を行う場合は、前記揺動規制板４を規制位置（図４参照）にしてリヤカバー１ｂを固定状態にして作業を行う。また硬度の高い圃場を耕耘する作業では、揺動規制板４を前記待機位置（図５参照）に付け替えて連結板３のばね作用を働かせながら作業をすれば、耕耘後の土壌面をトラクタ側の揺れに極力影響を受けず、均平に均すことができる。
【００２２】
これにより、前記ロータリ耕耘装置２は、耕耘作業にあたりその圃場の土壌条件（硬軟度）或いは作業条件に応じて、揺動規制板４によりリヤカバー１ｂを上下揺動可能としたり、揺動を規制することができるので、耕耘装置２の汎用性が高まる。またこの揺動規制板４をリヤカバー１ｂの上下揺動可能状態、或いは揺動規制状態に関わらず、ロータリ耕耘装置２に対し一方を係止し、他端側を取り付た状態とするので、付け替え操作が簡単で、夫れ夫れ別個所に取付部材を構成することと比較して、構成が簡素化され、またリヤカバーの揺動を許容している時、即ち非使用時も同部品を損失することが無い。
【００２３】
次に前記揺動規制板４の他の形態を、図７及び図８に基づいて説明する。
【００２４】
他の形態となる揺動規制板４は、前記図２の揺動規制板４と主構成を同一とし、異なる点は図７に示すように左右の受部１５の間に舌状の規制力調節板２０を突出して設けた構成としている。そして、前記揺動規制板４は、図７の状態で連結板３上に重ね合わせて取り付ければ、前記図４で説明した状態と同様となって規制機能を発揮し、図８に示すように付け替れば、舌状の規制力調節板２０が連結板３のばね力を段階的に調節することができる。
【００２５】
詳細に説明すると、この場合の揺動規制板４は、図８に示すように、一端側の受部１５を前記同様、連結板３の取付軸２３の左右両側部に係止して、他方側のピン孔１４を取付板２１に設けた複数の調節孔２２，２２，２２にロックピン１６によって付け替えて取り付ける構成となっている。
【００２６】
以上のように構成したロータリ耕耘装置２のリヤカバー支持装置では、前記揺動規制板４の規制力調節板２０は、連結板に対する傾斜角度が変わって連結板３に対する付勢力（押圧力）が前記調節孔２２ごとに段階的に変更されることとなる。
【００２７】
これにより、前記リヤカバー１ｂは、圃場の土壌条件や作業条件に応じて段階的に調節して均平効果を上げることができる。
【００２８】
次に、前記ロータリー耕耘装置２の細部構成に付いて説明する。
【００２９】
従来のこの種装置は、複数の耕耘爪７間に草巻き付き防止ロッドを取り付けるための取付プレートを耕耘軸に溶着して構成している為、取付部分が作業中に障害物等に衝突して変形、摩耗した場合に、簡単に部品の交換等ができない課題があった。
【００３０】
よって前記耕耘装置２では、まずロッド固定用ホルダ２６を、図１０に示すように、ロット固定プレート２７を差し込んでボルト２８、ナット２９によって固定できるように、爪ホルダと同じ構造に形成し、前記耕耘軸６の左右中央位置に溶接して固着する構成としている。そして、耕耘軸６は、上記ロッド固定用ホルダ２６の他に多数の爪ホルダが固着され、これにそれぞれ耕耘爪７が設けられて全体としてロータリー耕耘装置２が構成されている。
【００３１】
またロッド固定プレート２７は、図１０に示すように、前後に２つの取付孔３０、３０を並べて設け、図９で解るように、一方に左の草巻き付き防止ロット２５を差し込み、他方に右の草巻き付き防止ロット２５を差し込んでねじ部３２をナット３３によって取り付ける構成としている。そして、左右の草巻き付き防止ロット２５、２５は、外側端部をそれぞれ耕耘軸６の軸端に設けたフランジ３１に固着して、耕耘軸６から外側に一定の間隔離した位置において、その軸６と平行状態に張り渡して構成している。
【００３２】
以上説明したロッド固定用のホルダ２６は、爪ホルダとは別体に構成しているが、耕耘軸６の中間部の耕耘爪７を取外してこの爪ホルダを利用して左右の草巻き付き防止ロット２５、２５を取り付けることもできる。
【００３３】
このように、草巻き付き防止ロッド２５は、爪ホルダに耕耘爪７を取り付ける手順操作と同様にして、ホルダ２６に差し込んで固定したロッド固定プレート２７に取り付けることが出来るものである。したがって、草巻き付き防止ロッド２５は、耕耘軸６に耕耘爪７を取り付けると同様に、簡単に着脱操作が出来ると共に破損時の部品等の交換も、耕耘刀の関連部品と同様に簡単に出来る特徴がある。
【００３４】
更に前記リヤカバー１ｂの支持装置について説明する。
【００３５】
従来からリヤカバー支持装置は、常時、連結板のばね圧による張圧力が下向きに働いており、付着した泥を落すためにリヤカバーを持ち上げる場合でも、上記下向きに働く張圧力に抗する大きな力を必要としていた。そして、従来構成の連結板は、持ち上げ時における板ばねの変形量が大きいために破損することがあった。
【００３６】
ここで、前記リヤカバー１ｂは、図１１及び図１２に示すように、主カバー１ａの左右中央部分に設けられている取付金具９に、主支持杆１０の基部にある揺動支持部１１を支点ピン３５で連結支持し、その主支持杆１０の先端側を左右に分岐して支持ロッド１２、１２として下方に延長し、主補強フレーム１３に固着して支持した構成としている。そして、連結ロッド３６、３６は、図１１及び図１３に示すように、上記支点ピン３５に両側から捩じ込んで一体に連結して左右に延長して板ばね材から構成した連結板３の上部を固着して構成している。そして、連結板３は、図１１及び図１４に示すように、下部をリヤカバー１ｂの補強フレーム３７に連結して弾性的に支持する構成としている。
【００３７】
このように、前記リヤカバー１ｂは、図１１及び分解図を示す図１３で解るように、支点ピン３５と左右の連結板３，３とを上記連結ロッド３６、３６を介して左右一体に連結した構成となっている。
【００３８】
従って、前記リヤカバー１ｂは、例えば、泥落しなどのために全体を上方に持ち上げるときには、連結板３のばね力が働かず、作業位置にあって、上下揺動するときに連結板３のばね力が下方への張圧力として働いて土壌表面の均平作用を行うことが出来る。
【００３９】
以上述べたように、実施例に係るリヤカバー１ｂの支持装置は、連結板３が押圧力を受けて変形しながらばね作用を発揮するのは、均平作用中にリヤカバー１ｂが上下揺動をしたときのみで変形量が比較的少なくなって破損することが少なくなった特徴がある。
【図面の簡単な説明】
【００４０】
【図１】ロータリ耕耘装置の斜面図である。
【図２】リヤカバー揺動規制時の揺動規制板の組付け操作を示す分解図である。
【図３】リヤカバー揺動許容時の揺動規制板の組付け操作を示す分解図である。
【図４】（Ａ）リヤカバー揺動規制時の揺動規制板の組付け状態を示す側面図である。（Ｂ）リヤカバー揺動規制時の揺動規制板の組付け状態を示す平面図である。
【図５】（Ａ）リヤカバー揺動許容時の揺動規制板の組付け状態を示す側面図である。（Ｂ）リヤカバー揺動許容時の揺動規制板の組付け状態を示す側面図である。
【図６】ロータリ耕耘装置の側面図である。
【図７】ロータリ耕耘装置の一部を分解した斜面図である。
【図８】別形態の作用側面図である。
【図９】耕耘軸周囲の斜面図である。
【図１０】爪ホルダ部の分解斜面図である。
【図１１】一部別形態を示すロータリ耕耘装置の一部平面図である。
【図１２】一部別形態を示すロータリ耕耘装置の側面図である。
【図１３】一部別形態を示すロータリ耕耘装置の一部分解斜面図である。
【図１４】一部別形態を示すロータリ耕耘装置の斜面図である。
【符号の説明】
【００４１】
１    耕耘カバー
１ａ  主カバー
１ｂ  リヤカバー
２    ロータリー耕耘装置
３    連結板
４    揺動規制板
【図１】
2005185156.tif 000003
【図２】
2005185156.tif 000004
【図３】
2005185156.tif 000005
【図４】
2005185156.tif 000006
【図５】
2005185156.tif 000007
【図６】
2005185156.tif 000008
【図７】
2005185156.tif 000009
【図８】
2005185156.tif 000010
【図９】
2005185156.tif 000011
【図１０】
2005185156.tif 000012
【図１１】
2005185156.tif 000013
【図１２】
2005185156.tif 000014
【図１３】
2005185156.tif 000015
【図１４】
2005185156.tif 000016